(57)【要約】  映像表示部１０７の表示画面は、メインチャンネルの画像を表示するメイン表示領域と、メイン表示領域と入れ替えが可能なチャンネルの画像を表示するサブ表示領域とから構成される。制御部１０３は、メイン表示領域を基点として、サブ表示領域とチャンネルの画像の入れ替え操作が行われると、入れ替え後のサブ表示領域のチャンネルの画像を、ページ送りの対象としないように制御し、サブ表示領域を基点として、メイン表示領域とチャンネルの画像の入れ替え操作が行われると、入れ替え後のサブ表示領域のチャンネルの画像を、ページ送りの対象とするように制御する。
2010035804.tif 000002
【特許請求の範囲】
【請求項１】
メインチャンネルの画像を表示するメイン表示領域と、該メイン表示領域と入れ替えが可能なチャンネルの画像を表示するサブ表示領域とから構成される表示部と、
前記サブ表示領域に表示しているチャンネルの画像を、前記サブ表示領域に表示していない他のチャンネルの画像に切り替える切替部と、
前記メイン表示領域を基点として、前記サブ表示領域とチャンネルの画像の入れ替え操作が行われると、当該入れ替え後のサブ表示領域に表示される前記メイン表示領域に表示されていたチャンネルの画像を、前記切替部による切り替え対象としないように制御する制御部と、
を備える画像表示装置。
【請求項２】
前記制御部は、前記サブ表示領域を基点として、前記メイン表示領域とチャンネルの画像の入れ替え操作が行われると、当該入れ替え後のサブ表示領域に表示される前記メイン表示領域に表示されていたチャンネルの画像を、前記切替部による切り替え対象とするように制御することを特徴とする請求項１に記載の画像表示装置。
【発明の詳細な説明】
【関連出願へのクロスリファレンス】
【０００１】
本願は、日本国特許出願第２００８−２４８７０２号（２００８年９月２６日出願）の優先権の利益を主張し、これらの全内容を参照により本願明細書に取り込むものとする。
【技術分野】
【０００２】
本発明は、複数のチャンネルの画像を一画面に表示してチャンネルを選択できる画像表示装置に関する。
【背景技術】
【０００３】
ケーブルテレビ（ＣＡＴＶ）等では、リモコン操作により直接に所望のチャンネル番号を指定したり、チャンネルキーを用いてチャンネルを順送りしてチャンネルを選択することが行われるが、その他に、画像を縮小して複数のチャンネル（１６チャンネル程度）を一画面に表示させ、リモコン操作によりポインタを移動させてチャンネルを選択することが行われている（特許文献１参照）。
【先行技術文献】
【特許文献】
【０００４】
【特許文献１】特開平７−２８４０３２号公報
【発明の概要】
【発明が解決しようとする課題】
【０００５】
しかしながら、上述したように、複数のチャンネルの画像を一画面に表示させた場合、１つのチャンネルの表示領域は縮小されているため、高画質で視聴したければ、そのつど選局して全画面表示にする必要があり、操作性が悪いという問題がある。
そこで、一画面をメイン表示領域とサブ表示領域に分け、メイン表示領域に自分が視聴したいチャンネルの画像を大きく表示し、サブ表示領域に１つ以上のチャンネルの画像を小さく一覧表示するアプリケーションが考えられる。このようなアプリケーションは、ユーザが、サブ表示領域中のチャンネルから視聴したいチャンネルを選択すると、選択されたチャンネルの画像をメイン表示領域に大きく表示するので、ユーザは、一覧表示されたチャンネルの中から自分の視聴したいチャンネルを検索することが容易となる。
また、このような一覧表示の方法は、例えば、ＭｅｄｉａＦＬＯ（登録商標）のように１つのチューナーで複数のチャンネルを同時に受信できる放送方式の場合に好適である。【０００６】
しかしながら、このような表示の方法では、チャンネルを一覧表示するサブ表示領域が小さくなってしまうため、全てのチャンネルを表示するためには、ユーザが、サブ表示領域をページ送りして、表示するチャンネルを順次切り替えることが必要となる。このように、ユーザが、メイン表示領域のチャンネルを選択してサブ表示領域のチャンネルと入れ替え、このサブ表示領域のページ送りを行うと、今までメイン表示領域に表示されていたチャンネルは、サブ表示領域に表示されなくなり、ユーザが、再び、今までメイン表示領域に表示していたチャンネルを視聴しようとしても、そのチャンネルに戻りにくくなってしまうという問題がある。【０００７】
本発明は、このような問題点に鑑みてなされたものであり、本発明の目的は、メイン表示領域のチャンネルを選択してサブ表示領域のチャンネルと入れ替え、サブ表示領域をページ送りしたときにおいても、操作性を向上させることができる画像表示装置を提供することにある。
【課題を解決するための手段】
【０００８】
本発明の画像表示装置は、メインチャンネルの画像を表示するメイン表示領域と、該メイン表示領域と入れ替えが可能なチャンネルの画像を表示するサブ表示領域とから構成される表示部と、前記サブ表示領域に表示しているチャンネルの画像を、前記サブ表示領域に表示していない他のチャンネルの画像に切り替える切替部と、前記メイン表示領域を基点として、前記サブ表示領域とチャンネルの画像の入れ替え操作が行われると、当該入れ替え後のサブ表示領域に表示される前記メイン表示領域に表示されていたチャンネルの画像を、前記切替部による切り替え対象としないように制御する制御部とを備える。【０００９】
また、前記制御部は、前記サブ表示領域を基点として、前記メイン表示領域とチャンネルの画像の入れ替え操作が行われると、当該入れ替え後のサブ表示領域に表示される前記メイン表示領域に表示されていたチャンネルの画像を、前記切替部による切り替え対象とするように制御する。
【発明の効果】
【００１０】
本発明は、メイン表示領域のチャンネルを選択してサブ表示領域のチャンネルと入れ替えると、サブ表示領域に表示されたチャンネルの表示位置が固定されるので、サブ表示領域をページ送りしても、今までメイン表示領域に表示されていたチャンネルに容易に戻ることができる。
また、本発明は、サブ表示領域のチャンネルを選択してメイン表示領域のチャンネルと入れ替えると、サブ表示領域に表示されたチャンネルの表示位置が固定されず、ページ送りにより必要のないチャンネルを表示させないようにするので、操作性を向上させることができる。
【図面の簡単な説明】
【００１１】
【図１】本発明の第１の実施の形態に係る画像表示装置の概略構成を示す図である。
【図２】映像表示部に表示される一覧表示画面の例を示す図である。
【図３】第１の実施の形態に係る画像表示装置の第１のチャンネル表示例を示す図である。
【図４】第１の実施の形態に係る画像表示装置の第２のチャンネル表示例を示す図である。
【図５】第１の実施の形態に係る画像表示装置の第３のチャンネル表示例を示す図である。
【図６】第１の実施の形態に係る画像表示装置の第４のチャンネル表示例を示す図である。
【図７】第１の実施の形態に係る画像表示装置の第５のチャンネル表示例を示す図である。
【図８】第１の実施の形態に係る画像表示装置が一覧表示したときの動作を説明するフローチャートである。
【図９】第２の実施の形態に係る画像表示装置の第１のチャンネル表示例を示す図である。
【図１０】第２の実施の形態に係る画像表示装置の第２のチャンネル表示例を示す図である。
【図１１】第２の実施の形態に係る画像表示装置の第３のチャンネル表示例を示す図である。
【図１２】第２の実施の形態に係る画像表示装置が一覧表示したときの動作を説明するフローチャートである。
【発明を実施するための形態】
【００１２】
本発明の実施の形態について図面を参照して説明する。図１は、本発明の第１の実施の形態に係る画像表示装置の概略構成を示す図である。図１に示す画像表示装置は、アンテナ１０１と、放送波を受信するチューナー１０２と、放送映像データを保存するメモリ１０４と、メモリ１０４に保存された放送映像データをデコードするデコーダ部１０６と、デコーダ部１０６によってデコードされた映像を表示する有機ＥＬ等の映像表示部１０７（表示部）と、ユーザからの入力を受け付ける入力部１０５と、全体を制御する制御部１０３（切替部、制御部）とからなる。
【００１３】
図２は、映像表示部に表示される一覧表示画面の例を示す図である。前提として、アルファベットＡ〜Ｈは、チャンネルＡ〜Ｈの画像である。一覧表示画面は、メインチャンネルの画像を表示するメイン表示領域と、メイン表示領域と入れ替えが可能なチャンネルの画像を表示するサブ表示領域からなる。図２においてチャンネルＡの画像が表示されている場所がメイン表示領域であり、チャンネルＢからＥの画像が表示されている場所がサブ表示領域である。
【００１４】
また、一覧表示画面の下方には、一覧表示画面を終了するための「終了」キーと、メイン表示領域に表示しているチャンネルの画像とサブ表示領域に表示しているチャンネルの画像の入れ替え操作を行うための「入替」キーと、サブ表示領域に表示しているチャンネルの画像を、サブ表示領域に表示していない他のチャンネルの画像に切り替える操作を行うための「ページ送り」キー等のソフトキーが表示される。
【００１５】
制御部１０３は、メイン表示領域を基点として、サブ表示領域とチャンネルの画像の入れ替え操作が行われると、入れ替え後のサブ表示領域に表示されるメイン表示領域に表示されていたチャンネルの画像を、「ページ送り」キーによる切り替え対象としないように制御する。制御部１０３は、サブ表示領域を基点として、メイン表示領域とチャンネルの画像の入れ替え操作が行われると、入れ替え後のサブ表示領域に表示されるメイン表示領域に表示されていたチャンネルの画像を、「ページ送り」キーによる切り替え対象とするように制御する。
また、制御部１０３は、「ページ送り」キーが押下されると、サブ表示領域に表示しているチャンネルの画像を、サブ表示領域に表示していない他のチャンネルの画像に切り替える。
【００１６】
図３は、第１の実施の形態に係る画像表示装置の第１のチャンネル表示例を示す図である。図３（ａ）の一覧表示画面にて、ユーザが、チャンネルを選択するために、「入替」キーを押下すると、画像表示装置は、入替元チャンネル選択画面を表示する（図３（ｂ））。ユーザが、メイン表示領域のチャンネルＡの画像を選択して（基点として）「入替元決定」キーを押下すると、画像表示装置は、太枠などで入替元選択済みであることを表示して入替先チャンネル選択画面を表示する（図３（ｃ））。次に、ユーザが、サブ表示領域のチャンネルＢの画像を選択して「入替先決定」キーを押下すると、画像表示装置は、点線などで入替先選択済みであることを表示して入替決定選択画面を表示する（図３（ｄ））。そして、ユーザが、「実行」キーを押下すると、画像表示装置は、チャンネルＡの画像とチャンネルＢの画像を入れ替えて表示する。音声もチャンネルＡの音声からチャンネルＢの音声に切り替わる（図３（ｅ））。このときチャンネルＡの画像は表示位置固定となる。この状態でユーザが「ページ送り」キーを押下すると、表示位置固定のチャンネルＡの画像は固定表示されたまま、そのほかのチャンネルの画像（Ｃ〜Ｅ）が入れ替わる（図３（ｆ））。なお、画像表示装置は、表示位置固定のチャンネルＡの画像に固定表示中の表示を行うようにしてもよい。
【００１７】
第１のチャンネル表示例では、ユーザが、メイン表示領域のチャンネルを選択して（基点として）サブ表示領域のチャンネルと入れ替えると、サブ表示領域に表示された、入れ替えられたチャンネルは、表示位置が固定されるので、ユーザは、サブ表示領域をページ送りしても、今までメイン表示領域に表示されていたチャンネル（入れ替えられたチャンネル）に容易に戻ることができる。
また、ユーザによるメイン表示領域に表示されたチャンネルを選択して入れ替えるという動作は、視聴したいチャンネルをサブ表示領域に残すというユーザの意図を反映している。
特に、本発明の画像表示装置を、ＭｅｄｉａＦＬＯなどの複数チャンネルが受信可能な放送受信機のチャンネル表示に利用した場合、元々視聴していたチャンネルがサブ表示領域に残るので、ユーザは、別のチャンネルの放送を視聴しながら元のチャンネルの画像を見ることができる。
【００１８】
図４は、第１の実施の形態に係る画像表示装置の第２のチャンネル表示例を示す図である。図４（ａ）の一覧表示画面にて、ユーザが、チャンネルを選択するために、「入替」キーを押下すると、画像表示装置は、入替元チャンネル選択画面を表示する（図４（ｂ））。ユーザが、サブ表示領域のチャンネルＢの画像を選択して（基点として）「入替元決定」キーを押下すると、画像表示装置は、太枠などで入替元選択済みであることを表示して入替先チャンネル選択画面を表示する（図４（ｃ））。次に、ユーザが、メイン表示領域のチャンネルＡの画像を選択して「入替先決定」キーを押下すると、画像表示装置は、点線などで入替先選択済みであることを表示して入替決定選択画面を表示する（図４（ｄ））。そして、ユーザが、「実行」キーを押下すると、画像表示装置は、チャンネルＡの画像とチャンネルＢの画像を入れ替えて表示する。音声もチャンネルＡの音声からチャンネルＢの音声に切り替わる（図４（ｅ））。このときチャンネルＡの画像は表示位置固定にはならない。この状態でユーザが「ページ送り」キーを押下すると、チャンネルＡの画像を含めたサブ表示領域のすべてのチャンネルの画像（Ａ、Ｃ〜Ｅ）が入れ替わる（図４（ｆ））。
【００１９】
なお、ユーザが、サブ表示領域の任意のチャンネルを選択してメイン表示領域に表示されているチャンネルと入れ替えたときに、画像表示装置は、入れ替えられたチャンネルの、サブ表示領域に表示するときの表示順位を下げるようにしてもよい。画像表示装置は、入れ替えられたチャンネルの表示順序を下げることにより、ユーザが、ページ送りをしたときに、必要のないチャンネル（入れ替えられたチャンネル）を、サブ表示領域にすぐに表示されないようにすることができる。
【００２０】
第２のチャンネル表示例では、ユーザが、サブ表示領域のチャンネルを選択して（基点として）メイン表示領域のチャンネルと入れ替えると、サブ表示領域に表示された、入れ替えられたチャンネルは、固定表示されず、サブ表示領域がページ送りされたならば表示上消去される。そのため、ユーザによるサブ表示領域に表示されたチャンネルを選択して入れ替えるという動作は、メイン表示領域に表示されていたチャンネルは今後視聴しないというユーザの意図を反映している。
特に、本発明の画像表示装置を、ＭｅｄｉａＦＬＯなどの複数チャンネルが受信可能な放送受信機のチャンネル表示に利用した場合、サブ表示領域のチャンネルを受信中に、ユーザが、ザッピングなどでサブ表示領域のチャンネルを基点としてメイン表示領域に表示すると、今までメイン表示領域に表示されていたチャンネルは、必要のないチャンネルと判断される。つまり、ユーザがサブ表示領域のチャンネルを基点としてメイン表示領域のチャンネルと入れ替えれば、今までメイン表示領域に表示されていたチャンネルは、サブ表示領域に表示されても表示位置が固定されず、ページ送りされるとサブ表示領域から消去されるので、サブ表示領域には、不必要なチャンネルが残らない。
【００２１】
図５は、第１の実施の形態に係る画像表示装置の第３のチャンネル表示例を示す図である。図５（ａ）の一覧表示画面にて、ユーザが、チャンネルを選択するために、「入替」キーを押下すると、画像表示装置は、入替元チャンネル選択画面を表示する（図５（ｂ））。ユーザが、メイン表示領域のチャンネルＡの画像を選択して（基点として）「入替元決定」キーを押下すると、画像表示装置は、太枠などで入替元選択済みであることを表示して入替先チャンネル選択画面を表示する（図５（ｃ））。次に、ユーザが、サブ表示領域のチャンネルＢの画像とチャンネルＣの画像を選択して「入替先決定」キーを押下すると、画像表示装置は、点線などで入替先選択済みであることを表示して入替決定選択画面を表示する（図５（ｄ））。そして、ユーザが、「実行」キーを押下すると、画像表示装置は、チャンネルＢの画像とチャンネルＣの画像をメイン表示領域に表示する。音声は、例えば左側に表示されるチャンネルを優先させてチャンネルＡの音声からチャンネルＢの音声に切り替わる（図５（ｅ））。このときチャンネルＡの画像は表示位置固定となる。この状態でユーザが「ページ送り」キーを押下すると、表示位置固定のチャンネルＡの画像は固定表示されたまま、そのほかのチャンネルの画像（Ｄ〜Ｆ）が入れ替わる（図５（ｆ））。
なお、ユーザが、メイン表示領域に表示された複数のチャンネル（チャンネルＢおよびチャンネルＣ）の画像を選択して（基点として）サブ表示領域のチャンネルの画像と入れ替えると、サブ表示領域に表示された複数のチャンネルの画像は、表示位置が固定され、ユーザがページ送りしても、複数のチャンネル（チャンネルＢおよびチャンネルＣ）の画像は、サブ表示領域に表示され続ける。
【００２２】
図６は、第１の実施の形態に係る画像表示装置の第４のチャンネル表示例を示す図である。図６（ａ）の一覧表示画面にて、ユーザが、チャンネルを選択するために、「入替」キーを押下すると、画像表示装置は、入替元チャンネル選択画面を表示する（図６（ｂ））。ユーザが、サブ表示領域のチャンネルＢの画像とチャンネルＣの画像を選択して（基点として）「入替元決定」キーを押下すると、画像表示装置は、太枠などで入替元選択済みであることを表示して入替先チャンネル選択画面を表示する（図６（ｃ））。次に、ユーザが、メイン表示領域のチャンネルＡの画像を選択して「入替先決定」キーを押下すると、画像表示装置は、点線などで入替先選択済みであることを表示して入替決定選択画面を表示する（図６（ｄ））。そして、ユーザが、「実行」キーを押下すると、画像表示装置は、チャンネルＢの画像とチャンネルＣの画像をメイン表示領域に表示する。音声は、例えば左側に表示されるチャンネルを優先させてチャンネルＡの音声からチャンネルＢの音声に切り替わる（図６（ｅ））。この状態でユーザが「ページ送り」キーを押下すると、サブ表示領域のすべてのチャンネルの画像（Ａ、Ｄ〜Ｆ）が入れ替わる（図６（ｆ））。
また、ユーザが、サブ表示領域のチャンネルＢの画像を選択して（基点として）メイン表示領域に表示されているチャンネルＡの画像と入れ替え、さらに所定時間内にサブ表示領域のチャンネルＣの画像を選択して（基点として）メイン表示領域と入れ替え動作を行った場合においては、画像表示装置は、メイン表示領域にチャンネルＢの画像とチャンネルＣの画像を表示するようにしてもよい。
【００２３】
図７は、第１の実施の形態に係る画像表示装置の第５のチャンネル表示例を示す図である。図７（ａ）の一覧表示画面にて、ユーザが、チャンネルを選択するために、「入替」キーを押下すると、画像表示装置は、入替元チャンネル選択画面を表示する（図７（ｂ））。ユーザが、メイン表示領域のチャンネルＡの画像とサブ表示領域のチャンネルＢの画像を選択して（基点として）「入替元決定」キーを押下すると、画像表示装置は、太枠などで入替元選択済みであることを表示して入替先チャンネル選択画面を表示する（図７（ｃ））。次に、ユーザが、メイン表示領域のチャンネルＡの画像を選択して「入替先決定」キーを押下すると、画像表示装置は、チャンネルＡの画像を点線などで入替先選択済みであることを表示して入替決定選択画面を表示する（図７（ｄ））。そして、ユーザが、「実行」キーを押下すると、画像表示装置は、チャンネルＡの画像とチャンネルＢの画像をメイン表示領域に表示する。音声は、例えば左側に表示されるチャンネルを優先させてチャンネルＡの音声となる（図７（ｅ））。この状態でユーザが「ページ送り」キーを押下すると、サブ表示領域のすべてのチャンネルの画像（Ｃ〜Ｆ）が入れ替わる（図７（ｆ））。
【００２４】
図８は、第１の実施の形態に係る画像表示装置が一覧表示したときの動作を説明するフローチャートである。画像表示装置は、始めに一覧表示画面を表示する（Ｓ２００）。このとき、もし初回起動であれば、画像表示装置は、チャンネル順にメイン表示領域、サブ表示領域に表示し、もし過去に起動しているならば前回の画面構成をラストメモリ等を参照して復元する。ユーザが、画面に表示されているソフトキーを押下したとき（Ｓ２０１）、そのキーが「入替」キーであれば、画像表示装置は、入替元チャンネル選択画面を表示する（Ｓ２０２）。ユーザがキー押下によって入替元チャンネルの画像を選択して（Ｓ２０３）「入替元決定」キーを押下すると（Ｓ２０４）、画像表示装置は、入替先チャンネル選択画面を表示する（Ｓ２０５）。ユーザがキー押下によって入替先チャンネルの画像を選択して（Ｓ２０６）「入替先決定」キーを押下すると（Ｓ２０７）、画像表示装置は、入替決定選択画面を表示する（Ｓ２０８）。ユーザが「実行」キーを押下すると（Ｓ２０９）、画像表示装置は、チャンネルを入れ替える（Ｓ２１０）。もしサブ表示領域に表示された入替チャンネルが、ユーザによりメイン表示領域の入替元チャンネルとして選択（基点）されていたならば（Ｓ２１１）、画像表示装置は、入替チャンネルの表示位置を固定して（Ｓ２１２）、一覧表示画面に戻る（Ｓ２００）。もしサブ表示領域に表示された入替チャンネルが、ユーザによりメイン表示領域の入替元チャンネルとして選択（基点）されていなかったならば（Ｓ２１１）、画像表示装置は、入替チャンネルの表示位置を固定せずに、一覧表示画面に戻る（Ｓ２００）。
【００２５】
一覧表示画面（Ｓ２００）において、ユーザが「ページ送り」キーを押下すると（Ｓ２０１）、画像表示装置は、ページ送り後のチャンネルを選定する（Ｓ２１３）。このとき、チャンネルの選定方法は、次に続くチャンネル順であってもよいし、一度メイン表示領域に表示されたチャンネルであって入替先に指定されたチャンネルの表示順位を下げ、それ以外のチャンネルを優先的に選定してもよい。そして、画像表示装置は、選定されたチャンネルのデータをデコードし（Ｓ２１４）、デコードしたチャンネルをサブ表示領域に表示して（Ｓ２１５）、一覧表示画面に戻る（Ｓ２００）。
【００２６】
なお、本発明の画像表示装置は、ＭｅｄｉａＦＬＯの受信機ように複数のチャンネルを同時に受信できる場合、メイン表示領域のチャンネルとサブ表示領域の表示位置固定のチャンネルでは、デコードを続け、表示位置固定でないチャンネルでは、デコードを停止するようにしてもよい。
また、ＭｅｄｉａＦＬＯでは、ベースコンポーネント、エンハンスドコンポーネントの２階層のエンコード（階層符号化）が使用されるが、本発明の画像表示装置は、メイン表示領域のチャンネルとサブ表示領域の表示位置固定のチャンネルでは、ベースコンポーネントとエンハンスドコンポーネントの受信、デコードを行って高い解像度の画像を出力し、表示位置固定でないチャンネルでは、ベースコンポーネントの受信、デコードを行って基本的な解像度の画像を出力するようにしてもよい。
また、本発明の画像表示装置は、メイン表示領域のチャンネルとサブ表示領域のチャンネルの入れ替え方によって、サブ表示領域のチャンネルのデコードの有無や、階層符号化のレベルを制御することにより、デコードのリソースを削減することができる。
【００２７】
また、本フローチャートでは、画像表示装置は、ユーザの入力場面の全てで「キャンセル」キーまたは「終了」キーを受け付ける。画像表示装置は、もし「キャンセル」キーが押下されたならば１つ前の画面に遷移し、「終了」キーが押下されたならば一覧画像表示を終了する。
【００２８】
次に、本発明の第２の実施の形態に係る画像表示装置について説明する。第２の実施の形態に係る画像表示装置は、ユーザからの入力を受け付ける入力部が、タッチパネルにより形成されており、スタイラスや指による押下入力を受け付けることが可能なように構成されている。また、入力部は、マウスポインタでも良い。その他の構成は、第１の実施の形態に係る画像表示装置と同様なので、説明は省略する。
【００２９】
図９は、第２の実施の形態に係る画像表示装置の第１のチャンネル表示例を示す図である。図９（ａ）の一覧表示画面にて、ユーザが、チャンネルを選択するために、スタイラスでチャンネルＡの画像をタッチ（基点とする）すると、画像表示装置は、太枠などで入替元選択済みであることを表示する（図９（ｂ））。そして、ユーザが、メイン表示領域のチャンネルＡの画像をタッチしたままサブ表示領域のチャンネルＢの画像にドラッグすると、画像表示装置は、チャンネルＡの画像とチャンネルＢの画像を入れ替えて表示する。音声もチャンネルＡの音声からチャンネルＢの音声に切り替わる（図９（ｃ））。このときチャンネルＡの画像は表示位置固定となる。この状態でユーザがスタイラスで「ページ送り」キーの表示領域をタッチすると、表示位置固定のチャンネルＡの画像は固定表示されたまま、そのほかのチャンネルの画像（Ｃ〜Ｅ）が入れ替わる（図９（ｄ））。
【００３０】
図１０は、第２の実施の形態に係る画像表示装置の第２のチャンネル表示例を示す図である。図１０（ａ）の一覧表示画面にて、ユーザが、チャンネルを選択するために、スタイラスでチャンネルＢの画像をタッチ（基点とする）すると、画像表示装置は、太枠などで入替元選択済みであることを表示する（図１０（ｂ））。そして、ユーザが、サブ表示領域のチャンネルＢの画像をタッチしたままメイン表示領域のチャンネルＡの画像にドラッグすると、画像表示装置は、チャンネルＡの画像とチャンネルＢの画像を入れ替えて表示する。音声もチャンネルＡの音声からチャンネルＢの音声に切り替わる（図１０（ｃ））。このときチャンネルＡの画像は表示位置固定にはならない。この状態でユーザがスタイラスで「ページ送り」キーの表示領域をタッチすると、チャンネルＡの画像を含めたサブ表示領域のすべてのチャンネルの画像が入れ替わる（図１０（ｄ））。
【００３１】
図１１は、第２の実施の形態に係る画像表示装置の第３のチャンネル表示例を示す図である。画像表示装置のメモリ１０４には、チャンネルＡの画像からチャンネルＫの画像まで保存されていることとする。画像の順序は、チャンネルＡの画像が先頭でチャンネルＫの画像が最後であるとする。
図１１（ａ）の一覧表示画面にて、ユーザが、チャンネルを選択するために、スタイラスでメイン表示領域のチャンネルＦの画像をタッチ（基点とする）すると、画像表示装置は、太枠などで入替元選択済みであることを表示する（図１１（ｂ））。そして、ユーザが、チャンネルＦの画像をタッチしたまま画像枠外にドラッグすると、画像表示装置は、チャンネルＦの画像を消去してサブ表示領域に表示されている優先順位の最も高いチャンネルＡの画像をメイン表示領域に表示し、サブ表示領域にはチャンネルＢの画像からチャンネルＥ（チャンネルＤの次の順位）の画像を表示する。音声はチャンネルＦの音声からチャンネルＡの音声に切り替わる（図１１（ｃ））。このときチャンネルＦの画像はサブ表示領域の表示順序の最下位になる。この状態でユーザがスタイラスで「ページ送り」キーの表示領域をタッチすると、サブ表示領域の全てのチャンネルの画像がページ送りされる（図１１（ｄ））。このとき、チャンネルＦの画像は一度画像枠外にドラッグされて表示順序が最下位になっているので、チャンネルＦの画像は表示されず、チャンネルＧの画像からチャンネルＪの画像までが表示される。ユーザが、もう一度スタイラスで「ページ送り」キーの表示領域をタッチすると、サブ表示領域の全てのチャンネルの画像（Ｇ〜Ｊ）がページ送りされ、チャンネルＫの画像の次に最下位となったチャンネルＦの画像が表示される（図１１（ｅ））。
【００３２】
このように、ユーザが、チャンネルを選択したまま表示画面の枠外または指定された表示領域に投げる（移動する）動作を行ったときは、画像表示装置は、このチャンネルの画面を表示画面から消去し、消去された場所に別のチャンネルの画像を表示する。さらに、画像表示装置は、サブ表示領域に表示されるべきチャンネルが多量であってサブ表示領域にすべてを表示できないときに、表示画面から消去されたチャンネルの、サブ表示領域に表示させるときの表示順位を下げるようにしてもよい。画像表示装置は、表示画面の枠外または指定された表示領域に投げられた（移動された）チャンネルの表示順位を下げることにより、ユーザが、ページ送りをしたときに、必要のないチャンネル（この例では投げられた（移動された）チャンネルＦ）を、サブ表示領域にすぐに表示されないようにすることができる。
【００３３】
図１２は、第２の実施の形態に係る画像表示装置が一覧表示したときの動作を説明するフローチャートである。
画像表示装置は、はじめに一覧表示画面を表示する（Ｓ８００）。このとき、もし初回起動であれば、画像表示装置は、チャンネル順にメイン表示領域、サブ表示領域に表示し、もし過去に起動しているならば前回の画面構成をラストメモリ等を参照して復元する。画像表示装置は、ユーザのスタイラスのタッチがあったときに（Ｓ８０１）、タッチされた場所が画像であればタッチされた画像のチャンネルを入替元チャンネルに設定する（基点とする）（Ｓ８０２）。
【００３４】
タッチに続くユーザのスタイラス動作があったときに（Ｓ８０３）、ユーザが、入替元チャンネルの画像をタッチしたままチャンネルの画像以外にドラッグしてスタイラスを離すか、入替元チャンネルの画像をタッチしたままスタイラスをすばやく払う動作を行った場合は、画像表示装置は、入替元チャンネル表示位置に次チャンネル（例えば、優先度が最も高いチャンネル）の画像を表示して（Ｓ８０４）、一覧表示画面に戻る（Ｓ８００）。
【００３５】
タッチに続くユーザのスタイラス動作があったときに（Ｓ８０３）、ユーザが、入替元チャンネルの画像をタッチしたまま別チャンネルの画像にドラッグしてスタイラスを離す動作を行った場合は、画像表示装置は、別チャンネルを入替先チャンネルとして設定してチャンネルを入れ替える（Ｓ８０５）。画像表示装置は、もしサブ表示領域に表示された入替チャンネルが、メイン表示領域に入替元チャンネルとして選択（基点）されていたならば（Ｓ８０６）、入替チャンネルの表示位置を固定して（Ｓ８０７）、一覧表示画面に戻る（Ｓ８００）。画像表示装置は、もしサブ表示領域に表示された入替チャンネルが、メイン表示領域に入替元チャンネルとして選択（基点）されていなかったならば（Ｓ８０６）、入替チャンネルの表示位置を固定せずに、一覧表示画面に戻る（Ｓ８００）。
【００３６】
タッチに続くユーザのスタイラス動作があったときに（Ｓ８０３）、ユーザが、入替元画像をタッチしたが入替元画像上でスタイラスを離す動作を行った場合は、画像表示装置は、入替元画像の設定をキャンセルして（Ｓ８０８）、一覧表示画面に戻る（Ｓ８００）。
【００３７】
画像表示装置は、一覧表示画面（Ｓ８００）において、ユーザのスタイラスのタッチがあったときに（Ｓ８０１）、タッチされた場所が「ページ送り」キーであればページ送り後のチャンネルを選定する（Ｓ８０９）。このとき、チャンネルの選定方法は、次に続くチャンネル順であってもよいし、一度メイン表示領域に表示されたチャンネルであって、入替先に指定されたチャンネルの表示順位を下げ、それ以外のチャンネルを優先的に選定してもよい。そして、画像表示装置は、選定されたチャンネルの画像をデコードし（Ｓ８１０）、デコードした画像をサブ表示領域に表示して（Ｓ８１１）、一覧表示画面に戻る（Ｓ８００）。
【００３８】
なお、本フローチャートでは、画像表示装置は、ユーザの入力場面の全てで「キャンセル」キーまたは「終了」キーを受け付ける。画像表示装置は、もし「キャンセル」キーが押下されたならば１つ前の画面に遷移し、「終了」キーが押下されたならば一覧画像表示を終了する。
【図１】
2010035804.tif 000003
【図２】
2010035804.tif 000004
【図３】
2010035804.tif 000005
【図４】
2010035804.tif 000006
【図５】
2010035804.tif 000007
【図６】
2010035804.tif 000008
【図７】
2010035804.tif 000009
【図８】
2010035804.tif 000010
【図９】
2010035804.tif 000011
【図１０】
2010035804.tif 000012
【図１１】
2010035804.tif 000013
【図１２】
2010035804.tif 000014
【国際調査報告】
2010035804.tif 000015
2010035804.tif 000016